(57)【要約】【課題】弁のハンドルの形状が異なっても幅広く使用でき、しかも微妙な力加減が可能で弁のハンドルとの係合が安定して力配分され安全性を向上させた弁操作工具を提供することである。【解決手段】  弁操作工具の本体１１に複数の切欠部１３を設け、切欠部１３の凸部１４をハンドル１６の空間貫通部１９に挿入して本体１１を回転させ、切欠部１３の凸部１４の側面を弁のハンドル１６の柄１８に当接させる。本体１１の回転は、本体１１の頂部に設けられた結合穴１２にレンチと結合するソケットを装着し、レンチの操作により本体１１を回転させる。これにより、微妙な回転力の調整が可能となる。【選択図】  図１
2010188430.tif 000002
【特許請求の範囲】
【請求項１】
弁操作用工具の本体と、前記本体に設けられ弁のハンドルの複数の柄に係合する複数の切欠部とを有し、前記切欠部は、奥行き方向に拡がりを有したものであることを特徴とする弁操作用工具。
【請求項２】
前記本体を回転させるためのレンチと結合するソケットが前記本体の頂部に取り付けられたことを特徴とする請求項１記載の弁操作用工具。
【請求項３】
前記ソケットと結合するレンチは、ラチェット機構付きのレンチであることを特徴とする請求項２に記載の弁操作用工具。
【発明の詳細な説明】
【技術分野】
【０００１】
本発明は、流体の配管系統に設けられた弁などのハンドルに係合させてこれらの弁を開閉するのに使用される弁操作用工具に関する。
【背景技術】
【０００２】
発電プラントや化学プラントなどでは、各種の液体や水蒸気などの流体の配管系統には、開閉弁や遮断弁が設けられている。通常、これらの弁は、環状部を有するハンドルを備えており、このハンドルを操作することで弁を開閉することができるようになっている。これらの弁は長年使用されると、弁の開閉が困難になる場合がある。また、配管内の圧力が高くなるほど、ハンドルを操作して弁を開閉するのに大きな力を要する。
【０００３】
そのため、弁の開閉を容易に行うためにウィルキーが使用されている（例えば、特許文献１参照）。ウィルキーは、金属製棒体である把持桿の一端に所定の間隔を保って２本の係合突起が設けられ、これら２本の係合突起の間に弁のハンドルを係合し、把持桿を作業者が把持して操作することで、ハンドルを回転させて弁の開閉操作を行うものである。
【０００４】
ウィルキーは弁のハンドルの外周に沿って作用するので、ウィルキーの把持桿の動作範囲が広く、手動弁が動き始めるまでは梃子の原理で大きな力を弁のハンドルに加えることができるが、一旦動き始めると弁が急に動き出すことになる。このため、周囲に手をぶつけたり、ウィルキーが手から離れてしまう危険性がある。また、弁の全閉または全開まで操作するには、一度の操作で完了しない場合があり、その場合には、ウィルキーをある程度回転させた後にウィルキーをハンドルの別の箇所に掛け替える必要がある。また、ウィルキーの２本の係合突起が係合するハンドルの接合部の１点に力が集中するため、ハンドルを壊す可能性があり、ハンドルの固定部の１点で力を支えるためウィルキーとハンドルとの固定が難しい。さらには、微妙な力加減が困難である。
【０００５】
そこで、バルブステムを変形し破損することなく確実に操作できるようにしたバルブ操作工具が提供されている（例えば、特許文献２参照）。これは、バルブハンドルのボスに対して相互に反対側の領域にある２つ以上のアームに係合し得る係合凹部が形成されたアタッチメントを用意し、そのアタッチメントにラチェットレンチを固定ネジで固定して構成されている。
【先行技術文献】
【特許文献】
【０００６】
【特許文献１】特開２００６−２４７８０６号公報
【特許文献２】実用新案登録第３１４３４９８号公報
【発明の概要】
【発明が解決しようとする課題】
【０００７】
しかし、特許文献２のものでは、アームに係合する係合凹部はハンドルのアームに合わせて形成されているので、３本アームや５本アームのハンドルの形状に合わせたアタッチメントを用意しなければならないだけでなく、アームの太さに応じたアタッチメントを用意しなければならない。さらに特許文献２のものでは、係合凹部の作用点が位置決めされておらず、アタッチメント自体が傾いた状態で係合した場合、回転力が作用することでアタッチメントの係合が外れて抜けたりして危険である。また、特許文献２のものでは、ラチェットレンチは６角ナットを締め付けるためのソケットが一体で設けられたものであり、アタッチメントの連結受け部の６角ナットに合ったラチェットレンチを用意しなければならない。また、アタッチメントとラチェットレンチとの固定を確実なものとするために、固定ネジでアタッチメントとラチェットレンチとを固定ネジで固定しなければならない。
【０００８】
本発明の目的は、弁のハンドルの形状が異なっても幅広く使用でき、しかも微妙な力加減が可能で弁のハンドルとの係合が安定して力配分され安全性を向上させた弁操作工具を提供することである。
【課題を解決するための手段】
【０００９】
請求項１の発明に係わる弁操作用工具は、弁操作用工具の本体と、前記本体に設けられ弁のハンドルの複数の柄に係合する複数の切欠部とを有し、前記切欠部は、奥行き方向に拡がりを有したものであることを特徴とする。
【００１０】
請求項２の発明に係わる弁操作用工具は、請求項１の発明において、前記本体を回転させるためのレンチと結合するソケットが前記本体の頂部に設けられたことを特徴とする。
【００１１】
請求項３の発明に係わる弁操作用工具は、請求項１または請求項２の発明において、前記ソケットと結合するレンチは、ラチェット機構付きのレンチであることを特徴とする。
【発明の効果】
【００１２】
本発明によれば、弁操作用工具の本体の複数の切欠部を弁のハンドルの複数の柄に係合させ、レンチで本体を回転させるので、ハンドルとの固定箇所が複数箇所となって複数の点に力が作用することになり、弁を破壊する危険性が軽減されるとともに、安定して操作することが可能である。切欠部は奥行き方向に拡がりを有したものであるので、力を加えたときに工具が弁のハンドルに密着して操作し易く、なおかつ抜けにくく安全に効率よく作業ができる。また、切欠部の開口幅を大きくできるので、柄が太いものから細いものまで汎用的に使用できる。従って、弁のハンドルの形状が異なっても幅広く使用できる。
【００１３】
また、レンチと結合するソケットが弁操作用工具の本体の頂部に設けられるので、レンチと弁操作用工具の本体とを固定ネジで固定しなくても、簡単にラチェットレンチと弁操作用工具の本体とを固定でき、弁操作用工具の取り外しが容易に行える。
【００１４】
また、レンチとしてラチェット機構付きのレンチを使用した場合にはさらに微妙な力加減も可能となり、手の動作が限られた範囲で収まり狭隘部における操作が可能でありさらに安全性が高まる。
【発明を実施するための形態】
【００１５】
図１は本発明の実施の形態に係わる弁操作工具の斜視図、図２は本発明の実施の形態に係わる弁操作工具の下方から見た斜視図である。
【００１６】
図１及び図２に示すように、弁操作工具の本体１１は釣鐘状に形成され、釣鐘状の本体１１の頂部にはレンチと結合する結合穴１２がソケットとして設けられている。この結合穴１２に、後述するレンチのレンチ凸部が挿入されて弁操作工具の本体１１が操作される。一方、釣鐘状の本体１１の開口部側には複数の切欠部１３が形成されている。切欠部１３は凸部１４と凹部１５とからなり、図１に示すように、切欠部１３の凸部１４側の切欠開口幅ｄ１は、切欠部１３の凹部１５側の切欠開口幅ｄ２より短く形成されている。すなわち、切欠部１３は奥行き方向に拡がりを有するように切り欠かれている。図２では、複数個の切欠部１３は３個の場合を示している。
【００１７】
この３個の切欠部１３は、例えば、図３に示すようなハンドルに係合する。図３は弁のハンドル１６の一例を示す平面図であり、図３に示すように、弁のハンドル１６は軸部２１と円環部１７と柄１８とで形成される。図３では、ハンドル１６の軸部２１と円環部１７を橋絡する柄１８が３個である場合を示しており、軸部２１と円環部１７と柄１８とで３個の空間貫通部１９が形成されている。
【００１８】
図２に示す弁操作工具の本体１１の３個の切欠部１３は、この３個の空間貫通部１９にそれぞれ対応して設けられ、切欠部１３の凸部１４が空間貫通部１９に挿入されて嵌合し、切欠部１３の凹部１５が柄１８に係合することになる。切欠部１３は奥行き方向に拡がりを有するように形成されているので、切欠部１３の凸部１４が空間貫通部１９から抜け難い構造となっている。
【００１９】
そして、レンチと結合する結合穴１２は本体１１と一体的に設けられ、レンチが容易に外れない機構であるソケット形状をしているので、レンチと本体１１とを固定ネジで固定しなくても、簡単にレンチと本体１１とを固定できる。このように、レンチが本体１１から容易に外れないソケット機構を本体１１に組み込んでいる。
【００２０】
本体１１の結合穴１２には、弁操作工具の操作時にレンチが結合される。結合穴１２に結合されたレンチにより本体１１を回転させると、切欠部１３の凸部１４の側面部が切欠部１３の凹部１５に案内されて柄１８に当接し、さらに本体１１を回転させると、切欠部１３の凸部１４の側面部が柄１８に力を加え、ハンドル１６に回転力を与えることになる。
【００２１】
この場合、３個の切欠部１３のそれぞれの凸部１４の側面で３個の柄１８に力を加えることになるので、ハンドル１６全体に加えられる回転力は、切欠部１３の凸部１４の側面部が柄１８に当接する３箇所に分散される。従って、微妙な力加減が可能となりハンドルの柄１８が折れたり損傷したりすることを防止できる。
【００２２】
図４は、レンチ２０を弁操作用工具に装着した状態を示す斜視図である。レンチ２０のレンチ凸部２２をソケット形状の結合穴１２に挿入して、レンチ２０を本体１１の頂部に結合するように取り付ける。そして、レンチ２０を操作して本体１１を回転させることになる。レンチ２０としてラチェット機能付きレンチを用いると、本体１１を回転させる微少な回転力を容易に調整できる。
【００２３】
以上の説明では、ハンドル１６として円環部１７を有したものを示したが、円環部１７を有さないハンドル１６、例えば、軸部２１に柄１８だけが取り付けられたハンドル１６の場合にも適用できる。
【００２４】
本発明の実施の形態によれば、釣鐘状の本体１１に弁のハンドル１６の柄１８に係合する複数の切欠部１３を設け、切欠部１３の凸部１４をハンドル１６の円環部１７と柄１８と形成される空間貫通部１９に挿入し、各々の切欠部１３の凸部１４の側面を各々の柄１８に当接して回転させるので、その複数の当接点で力を加えることが可能となる。従って、力が分散され微妙な力加減が可能となり操作性が向上するとともに、ハンドル１６の柄１８を損傷することもなくなり、安全性が向上する。
【００２５】
また、切欠部１３は奥行き方向に拡がりを有した形状となっているので、切欠部１３の凸部１４が外れにくく、また、本体１１を回転させたときに凸部１４の側面と柄１８との接触がより強固になる。また、本体１１の結合穴１２はレンチ２０と結合できるソケット形状を有しているので、一般的なレンチ及びラチェット機構付きレンチと組み合わせて使用できる。
【図面の簡単な説明】
【００２６】
【図１】本発明の実施の形態に係わる弁操作工具の斜視図。
【図２】本発明の実施の形態に係わる弁操作工具の下方から見た斜視図。
【図３】本発明の実施の形態に係わる弁操作工具の操作対象である弁のハンドルの一例を示す平面図。
【図４】本発明の実施の形態に係わる弁操作用工具にレンチを装着した状態を示す斜視図。
【符号の説明】
【００２７】
１１…本体、１２…結合穴、１３…切欠部、１４…凸部、１５…凹部、１６…ハンドル、１７…円環部、１８…柄、１９…空間貫通部、２０…レンチ、２１…軸部、２２…レンチ凸部
【図１】
2010188430.tif 000003
【図２】
2010188430.tif 000004
【図３】
2010188430.tif 000005
【図４】
2010188430.tif 000006